(57)【要約】【課題】室内に水滴がほとんど飛散しない空気調和機の送風装置を得ることを目的とする。【解決手段】室内機に内蔵され、室内空気を冷却する熱交換器と、この熱交換器からの室内空気を導く吸込口及び吹出口を有する風路と、この風路内に直交配置さられ、前記吸込口からの前記室内空気を前記吹出口に送風する貫流式羽根車と、この貫流式羽根車の側壁面に前記風路側壁面の軸穴を貫通して連結されたモータ軸により前記羽根車を駆動するモータと、を具備した空気調和機の送風装置において、通気孔が、前記羽根車のモータ側の側壁面に設けられ、前記軸穴から流入する室内空気を当該羽根車内に吸引し、前記熱交換器からの室内空気と混合するようにしたものである。【選択図】　　　　図２
2004116795.tif 000002
【特許請求の範囲】
【請求項１】
室内機に内蔵され、室内空気を冷却する熱交換器と、この熱交換器からの室内空気を導く吸込口及び吹出口を有する風路と、この風路内に直交配置さられ、前記吸込口からの前記室内空気を前記吹出口に送風する貫流式羽根車と、この貫流式羽根車の側壁面に前記風路側壁面の軸穴を貫通して連結されたモータ軸により前記羽根車を駆動するモータと、を具備した空気調和機の送風装置において、通気孔が、前記羽根車のモータ側の側壁面に設けられ、前記軸穴から流入する室内空気を当該羽根車内に吸引し、前記熱交換器からの室内空気と混合するようにしたことを特徴とする空気調和機の送風装置。
【請求項２】
前記通気孔が、前記羽根車が送風する空気流の流線にほぼ沿って前記羽根車の側壁面に一定の間隔で設けられたことを特徴とする請求項１記載の空気調和機の送風装置。
【請求項３】
前記通気孔が長穴形状からなり、該長穴形状の各長辺がそれぞれ前記羽根車の外形に沿うように設けられたことを特徴とする請求項２記載の空気調和機の送風装置。
【請求項４】
前記通気孔が三角形状からなり、該三角形状の頂点が前記空気流の流線方向に向いていることを特徴とする請求項２に記載の空気調和機の送風装置。
【請求項５】
前記通気孔が丸穴形状であることを特徴とする請求項２に記載の空気調和機の送風装置。
【請求項６】
前記通気孔の開口面積が、前記羽根車の側壁面の５％以上１０％以下であることを特徴とする請求項１から５までのいずれかに記載の空気調和機の送風装置。
【請求項７】
樹脂成型流入孔が、前記通気孔のほぼ中間に設けられたことを特徴とする請求項２から６までのいずれかに記載の空気調和機の送風装置貫流送風機。
【発明の詳細な説明】
【０００１】
【発明の属する技術分野】
この発明は、熱交換器からの冷却された室内空気とモータからの温かい室内空気とを混合する空気調和機の送風装置に関するものである。
【０００２】
【従来の技術】
従来の空気調和機の送風装置は、図８に示すような構成になっており、この図において、１は室内空気を空調する空気調和機の室内機、２はこの室内機１の外郭を形成し、吸込口２ａと吹出口２ｂを有するキャビネット、３はこのキャビネットの吸込口２ａの背後（下流側）に設けられ、通過室内空気の異物を除去するプレフィルタ、４はこのプレフィルタ３の背後（下流側）に設けられ、通過室内空気を清浄化する空気清浄フィルタ、５はこの空気清浄フィルタ４の背後（下流側）に設けられ、通過室内空気を冷却又は暖房する熱交換器、６はこの熱交換器からの室内空気をキャビネット２の吹出口２ｂへ導く、吸込口６ａと吹出口６ｂを有する風路、７はこの風路６内に直交配置され、熱交換器５からの室内空気を風路の吸込口６ａから吹出口６ｂへ送風する貫流送風機の羽根車、８はこの羽根車７の側壁板７ａに風路６の側壁板６ｃのモータ軸穴６ｄを貫通して連結固定され、羽根車７を回転させるモータ軸、９はこのモータ軸８を駆動するモータである。
【０００３】
次に、このように構成された動作について説明する。
まず、電源が投入され、室内機１の熱交換器５に冷媒が流れ、貫流送風機の羽根車７が回転すると、キヤビネット２の吸込口２ａから吸込まれた室内空気はプレフィルタ３及び空気清浄フィルタ４を介して熱交換器５に流れ、この熱交換器５の冷媒と熱交換され、冷却されたり、或いは温めたりされた後、風路６の吸込口６ａから吹出口６ｂへ送風され、キヤビネット２の吹出口２ｂから室内へ吹出され、その後、再びキヤビネット２の吸込口２ａから吸込まれ、同じ動作が繰り返されるので、その結果、室内は冷却されたり、或いは、温められたりされることとなる。
【０００４】
なお、この時、図９に示すように、風路６内の羽根車７の回転によって、羽根車７の側壁面７ａ側が負圧となり、風路側壁板６ｃの軸穴６ｄとモータ軸８との隙間Ｃから熱交換されていない温・湿度の高い室内空気がモータ９側から流入するので、特に、冷却運転時には、この温・湿度の高い空気は熱交換器５に最も近く、冷却された風路の上部壁面６ｅ付近で冷やされるため、場合によっては、空気中の水分が露となって風路６内の上部壁面６ｅや羽根車７の側壁面７ａに付着・成長し、羽根車７の風力や回転力によって風路の吹出口２ｂからキヤビネット２の吹出口２ｂを介して室内へ吹出されたりすることとなる。
【０００５】
言い換えれば、風路６の吸込口６ａの上流側のプレフィルタ３や、空気清浄フィルタ４や、熱交換器５等の抵抗が少ない時は、羽根車側の圧力とモータ側の圧力との圧力差が小さくなり、隙間Ｃから侵入する空気は少ないため、この少ない空気が冷却されても、相対湿度が変化するだけで、結露するまでには至らず、露が室内に吹出されない。
【０００６】
しかし、抵抗が大きい時には、羽根車側の圧力とモータ側の圧力との圧力差が大きくなるので、モータ９側の熱交換されていない室内空気が隙間Ｃから風路内へ多く流れ、しかも、この流入空気は吹出口方向に流れるのではなく、静圧の低い貫流送風機の上流側に流れるため、露が発生し易くなり、露が室内に吹出されることとなる。
【０００７】
しかも、近年益々、空気調和機の空気清浄能力を向上させるために、抵抗の大きいプレフィルタ３や空気清浄フィルタ４を設けたり、或いは、デザイン性の向上や、お手入れ易さを追求するために、吸込口２ａの抵抗を大きくしているので、室内空気の相対湿度が高い時には、露が室内に吹出され易くなる。
【０００８】
また更に、室内機１を小型化するために、風路６の吸込口６ａの上部壁面６ｅに、熱交換器５で発生するドレン水を排出する水路を設けているので、隙間Ｃから侵入した空気は、このドレン水で冷却された風路の上部壁面６ｅで冷やされ、露点に達して、風路の上部壁面に着露し、水滴となり、羽根車によって室内に飛び出すこととなる。
【０００９】
【発明が解決しようとする課題】
以上説明したように、従来の空気調和機の送風装置では、室内空気の相対湿度が高い時には、露が室内に吹出されるという問題があった。
【００１０】
この発明は上記のような問題を解消するためになされたもので、露が室内にほぼ吹出さない空気調和機の送風装置を得ることを目的とする。
【００１１】
【課題を解決するための手段】
この発明に係る貫流送風機は、室内機に内蔵され、室内空気を冷却する熱交換器と、この熱交換器からの室内空気を導く吸込口及び吹出口を有する風路と、この風路内に直交配置さられ、前記吸込口からの前記室内空気を前記吹出口に送風する貫流式羽根車と、この貫流式羽根車の側壁面に前記風路側壁面の軸穴を貫通して連結されたモータ軸により前記羽根車を駆動するモータと、を具備した空気調和機の送風装置において、通気孔が、前記羽根車のモータ側の側壁面に設けられ、前記軸穴から流入する室内空気を当該羽根車内に吸引し、前記熱交換器からの室内空気と混合するようにしたものである。
【００１２】
また、前記通気孔が、前記羽根車が送風する空気流の流線にほぼ沿って前記羽根車の側壁面に一定の間隔で設けられたものである。
【００１３】
また、前記通気孔が長穴形状からなり、該長穴形状の各長辺がそれぞれ前記羽根車の外形に沿うように設けられたものである。
【００１４】
また、前記通気孔が三角形状からなり、該三角形状の頂点が前記空気流の流線方向に向いているものである。
【００１５】
また、前記通気孔が丸穴形状であるものである。
【００１６】
また、前記通気孔の開口面積が、前記羽根車の側壁面の５％以上１０％以下であるものである。
【００１７】
また、樹脂成型流入孔が、前記通気孔のほぼ中間に設けられたものである。
【００１８】
【発明の実施の形態】
実施の形態１．
以下に、この発明の実施の形態１について図１、図２を用いながら説明する。
なお、図１は空気調和機の室内機の概略断面図であり、図２はこの送風装置の貫流式羽根車の概略斜視図である。
これらの図の羽根車７０を除いて、その他の構成はほぼ従来技術の構成と同じなので、詳細な説明は割愛する。
また、この発明における羽根車７０のモータ側の側壁板７０ａには、図２に示すように、通気孔７０ｂが設けられている。
【００１９】
次に、このように構成された動作について図３を用いながら説明する。
まず、電源が投入され、室内機１の熱交換器５に冷媒が流れ、貫流送風機の羽根車７０が回転すると、キヤビネット２の吸込口２ａから吸込まれた室内空気はプレフィルタ３及び空気清浄フィルタ４を介して熱交換器５に流れ、この熱交換器５の冷媒と熱交換され、冷却されたり、或いは温めたりされた後、風路６の吸込口６ａから吹出口６ｂへ送風され、キヤビネット２の吹出口２ｂから室内へ吹出され、その後、再びキヤビネット２の吸込口２ａから吸込まれ、同じ動作が繰り返されるので、その結果、室内は冷却されたり、或いは、温められたりされることになる。
【００２０】
しかし、この時、図３に示すように、風路６内の羽根車７０の回転によって、羽根車７０の側壁面７０ａ側が負圧となり、風路側壁板６ｃの軸穴６ｄとモータ軸８との隙間Ｃから熱交換されていない温・湿度の高い室内空気がモータ９側から流入するものの、この流入した温・湿度の高い室内空気の一部は羽根車７０の側壁面７０ａに設けられた通気孔７０ｂに吸引され、羽根車７０内に流入し、この羽根車７０内で、羽根車７０が送風する熱交換された全空気、即ち、相対湿度が９０％から９５％の大量の空気と混合されるので、この温・湿度の高い室内空気の水分は大量の空気に吸収されてしまうため、露となって風路６内の壁面や羽根車７０の側壁面７０ａに付着・成長しないため、室内に吹出されることはない。
【００２１】
また、羽根車７０内に吸引されなかった温・湿度の高い侵入室内空気は風路６の吸込口６ａの背面側に流れ、吹出口６ｂに送風されるものの、その量は少ないので、水滴になるまで成長しないため、水滴として室内に吹出されることはない。
以上の如く、羽根車７０の側壁面７０ａに通気孔７０ｂを設けると、室内への露飛びを防止できる。
【００２２】
実施の形態２．
以下、この発明の実施の形態２について図４、５を用いながら説明する。
この実施の形態２においては、羽根車７０の通気孔７０ｂを一定の間隔で複数設け、この複数設けた通気孔７０ｂの開口面積を側壁面７０ａの面積に対し、５％以上〜１０％以下となるようにしたものである。
【００２３】
なお、このように通気孔７０ｂを羽根車７０の側壁面７０ａに一定の間隔で設けるようにすると、通気孔７０ｂを介して隙間Ｃから侵入した室内空気をバランス良く羽根車７０内に吸入できるようになるため、風路内の着露をさらに抑制した空気調和機の送風装置を得ることができる。
【００２４】
また、図４に示すように、通気孔７０ｂのトータル開口面積を側壁面７０ａの面積に対し、５％以上〜１０％以下となるようすると、隙間Ｃから侵入した室内空気量と通気孔７０ｂから吸込まれる空気量のバラスが取れるため、風路６内の着露をバラス良く抑制した空気調和機の送風装置を得ることができる。
【００２５】
即ち、通気孔７０ｂの開口面積を側壁面７０ａの面積に対し１０％以上にすると、隙間Ｃから侵入した室内空気のほとんどが通気孔７０ｂから羽根車７０内に吸込まれるため、羽根車７０の壁面等に付着・成長し、水滴化され、室内に吹出されることになる。
【００２６】
また逆に、通気孔７０ｂの開口面積を側壁面７０ａの面積に対し５％以下にすると、開口面積が小さいため、羽根車７０内に吸込まれる空気の量が少なくなるので、結果として、隙間Ｃから侵入した室内空気量を全て羽根車７０内に吸込むことができなくなり、風路６の壁面等に付着・成長し、水滴化され、室内に吹出されることになる。
【００２７】
なお、一般的に、通気孔７０ｂの開口面積は、送風機の送風量によって決まるが、この送風量は、空気調和機においては熱交換器（冷却器）で冷却除湿され、付着した水滴が熱交換器のフィンから剥離して、水滴が飛散しない程度の送風量、即ち、熱交換器を通過する室内空気の風速が熱交換器フィンに付着した水滴の表面張力に打ち勝たない程度の風速、即ち、約２ｍ／ｓｅｃ前後の風速に見合った送風量に対応したものとなる。
【００２８】
また、以上説明した通気孔７０ｂを長穴形状として、図６に示すように、該長穴形状の各長辺がそれぞれ羽根車の外形に沿った一定間隔で配置すると、隙間Ｃから侵入した室内空気をバランス良く均一に、スムースに羽根車７０内に吸引するようになるため、着露を抑制した最適な空気調和機の送風装置が得られる。
【００２９】
また、図６に示すように、通気孔７０ｂを円形形状にすると、成型が容易になるため、着露を抑制した経済的な空気調和機の送風装置が得られる。
【００３０】
また、図７に示すように、通気孔７０ｂを羽根車７０が送風する空気の流線に沿った三角形状の一定間隔で、該三角形状の頂点が羽根車７０の流線方向に向くように配置するようにすると、隙間Ｃから侵入した室内空気をバランス良く均一に、スムースに羽根車７０内に吸引するようになるため、着露を抑制した最適な空気調和機の送風装置が得られる。
【００３１】
なお、図５、図６、図７に示すように、一定間隔の通気孔７０ｂのほぼ中間に樹脂を流入させる樹脂成型流入孔４０を設け、成型するようにすると、成型時の樹脂の流れが均等化し、加工性が向上するので、加工性の良い空気調和機の送風装置が得られる。
【００３２】
【発明の効果】
以上説明したように、この発明によれば、通気孔が、前記羽根車のモータ側の側壁面に設けられ、前記軸穴から流入する室内空気を当該羽根車内に吸引し、前記熱交換器からの室内空気と混合するようにしたので、隙間Ｃから侵入した温・湿度の高い室内空気が羽根車内に吸い込まれ、その水分が熱交換された空気に分散され、風路や羽根車の壁面等に付着・成長して水滴化しなくなるため、室内に水滴をほとんど飛散しない空気調和機の送風装置が得られる。
【００３３】
また、前記通気孔が、前記羽根車が送風する空気流の流線にほぼ沿って前記羽根車の側壁面に一定の間隔で設けられたので、隙間Ｃから侵入した室内空気をバランス良く均一に、スムースに羽根車内に吸引するようになるため、着露を抑制した最適な空気調和機の送風装置が得られる。
【００３４】
また、前記通気孔が長穴形状からなり、該長穴形状の各長辺がそれぞれ前記羽根車の外形に沿うように設けられたので、隙間Ｃから侵入した室内空気をバランス良く均一に、スムースに羽根車内に吸引するようになるため、着露を抑制した最適な空気調和機の送風装置が得られる。
【００３５】
また、前記通気孔が三角形状からなり、該三角形状の頂点が前記空気流の流線方向に向いているので、隙間Ｃから侵入した室内空気をバランス良く均一に、スムースに羽根車内に吸引するようになるため、着露を抑制した最適な空気調和機の送風装置が得られる。
【００３６】
また、前記通気孔が丸穴形状であるので、成型が容易になるため、経済的な空気調和機の送風装置が得られる。
【００３７】
また、前記通気孔の開口面積が、前記羽根車の側壁面の５％以上１０％以下であるので、隙間Ｃから侵入した室内空気量と通気孔で吸込む空気量とのバラスが取れるため、風路内の着露を抑制した空気調和機の送風装置が得られる。
【００３８】
また、樹脂成型流入孔が、前記通気孔のほぼ中間に設けられたので、成型時の樹脂の流れが均等化し、加工性が向上するので、加工性の良い空気調和機の送風装置が得られる。
空気調和機の送風装置が得られる。
【図面の簡単な説明】
【図１】この発明の実施の形態１における空気調和機の室内機の概略断面図である。
【図２】この発明の実施の形態１における貫流送風機の羽根車の概略斜視図である。
【図３】この発明の実施の形態１における送風装置の概略断面図である。
【図４】この発明の実施の形態１における羽根車の側壁面に対する通気孔の開口率と着露量の関係を示した図である。
【図５】この発明の実施の形態１及び２における貫流送風機の羽根車の側面図である。
【図６】この発明の実施の形態２における丸穴通気孔の概略配置図である。
【図７】この発明の実施の形態２における三角形通気孔の概略配置図である。
【図８】従来の空気調和機の概略断面図である。
【図９】従来の送風装置の概略断面図である。
【符号の説明】
１　室内機、　２　キャビネット、　３　プレフィルタ、　４　空気清浄フィルタ、　５　熱交換器、　６　風路、　６ａ　吸込口、　６ｂ　吹出口、　８　モータ軸、　９　モータ、　４０　樹脂成型流入孔、　７０　羽根車、　７０ａ
側壁面、　７０ｂ　通気孔。
【図１】
2004116795.tif 000003
【図２】
2004116795.tif 000004
【図３】
2004116795.tif 000005
【図４】
2004116795.tif 000006
【図５】
2004116795.tif 000007
【図６】
2004116795.tif 000008
【図７】
2004116795.tif 000009
【図８】
2004116795.tif 000010
【図９】
2004116795.tif 000011